(57)【要約】【課題】乳房や胸囲の大きさに個人差のある女性も身体に馴染むように着用でき、転倒や衝突した時の強打や落石等の外力を身体に受けた時に身体（主に胴等）への衝撃を少なくし且つ傷つくのを防ぎ、万が一、暴漢等に凶器で襲われても確実に身体（主に胴等）へのダメージを防ぐことができるものを提供することをその課題としている。【解決手段】少なくとも前身頃２と後身頃３をＰＣ板またはMMA板によって形成してなる上着状のケガ防止用防具１で、前記前身頃２は隆起形成した乳房保護用のカップ部９を有する右前身頃２ａと左前身頃２ｂからなり、着用時に着用者の乳房位置に右前身頃２ａと左前身頃２ｂとの夫々のカップ部９を一致させて、分離している右前身頃２ａと左前身頃２ｂとを連結手段５によって連結して着用する構成である。【選択図】 図１
0003146157.tif 000002
【実用新案登録請求の範囲】
【請求項１】
少なくとも前身頃と後身頃をポリカーボネート（PolyCarbonate：略称ＰＣ）板またはアクリル(メチルメタアクリレート「Methyl methacrylate：略称MMA」)板によって形成してなる上着状のケガ防止用防具であって、前記前身頃は隆起形成した乳房保護用のカップ部を有する右前身頃並びに左前身頃からなり、着用時に着用者の乳房位置に右前身頃と左前身頃の夫々のカップ部を一致させて、右前身頃と左前身頃とを連結手段で連結して着用するようにした構成を特徴とする女性用ケガ防止防具。
【請求項２】
連結手段による右前身頃と左前身頃との連結箇所側で、分離している右前身頃と左前身頃との着用時の隙間を覆うポリカーボネート（PolyCarbonate：略称ＰＣ）板またはアクリル(メチルメタアクリレート「Methyl methacrylate：略称MMA」)板で形成した補助防護板を、前記右前身頃または左前身頃に設けたことを特徴とする請求項１記載の女性用ケガ防止防具。
【請求項３】
前記右前身頃と左前身頃および後身頃に通気孔を設けたことを特徴とする請求項１または２記載の女性用ケガ防止防具。
【考案の詳細な説明】
【技術分野】
【０００１】
本考案は、転倒や衝突した時の強打や落石等の外力から身を守る女性用ケガ防止防具に関するものである。
【背景技術】
【０００２】
一般にコンクリート、アスファルト、石等の硬質材で形成された道路、或いは硬質タイル等で仕上げられた建物内の通路等では、段差のある箇所が多々あり、気をつけていても足を引っ掛けてバランスを崩し転倒しケガをしまう懸念が老若男女を問わずにある。また上記の道路や通路では少し濡れていたりすると足を滑らせて転倒することがあり、転倒した際には胸や背中等を強打して大ケガをしてしまう懸念が大である。
【０００３】
さらに、二輪車で走行中に転倒したり衝突したりして胸や背中等を強打することが多々あり、また、山間部を歩行中等に落石によっても大ケガをしたり死亡したりする懸念がある。
【０００４】
さらに、最近は治安の悪化により変質者や凶悪者による犯罪が多発しているのが現状であり、いくら自分で注意していても外出先等で不意に変質者等に襲われることも無きにしも非ずであり、常日ごろから自分の身は自分で守るをモットーに安全対策を立てておかなければならない世の中になって来ている。特に女性の場合は凶器を持った変質者等に狙われる危険性が高いため、そのような状況に遭遇した時に備えて防具を身につけておくことが望ましい。
【考案の開示】
【考案が解決しようとする課題】
【０００５】
本考案は上記したような点に鑑みて開発したものであり、乳房や胸囲の大きさに個人差のある女性も身体に馴染むように着用でき、転倒や衝突した時の強打や落石等の外力を身体に受けた時に身体（主に胴等）への衝撃を少なくし且つ傷つくのを防ぎ、また、万が一暴漢等に凶器で襲われても確実に身体（主に胴等）へのダメージを防ぐことができる女性用ケガ防止防具を提供することをその課題としている。
【課題を解決するための手段】
【０００６】
上記課題を解決するために、本考案の第１の女性用ケガ防止防具は、少なくとも前身頃と後身頃をポリカーボネート（PolyCarbonate：略称ＰＣ）板またはアクリル(メチルメタアクリレート「Methyl methacrylate：略称MMA」)板によって形成してなる上着状のケガ防止用防具であって、前記前身頃は隆起形成した乳房保護用のカップ部を有する右前身頃並びに左前身頃からなり、着用時に着用者の乳房位置に右前身頃と左前身頃との夫々のカップ部を一致させて、分離している右前身頃と左前身頃とを連結手段で連結して着用するようにしたことを特徴とする構成にしてある。
【０００７】
本考案の第２の女性用ケガ防止防具は、第１の女性用ケガ防止防具において、連結手段による右前身頃と左前身頃との連結箇所側で、分離している右前身頃と左前身頃との着用時の隙間を覆うポリカーボネート（PolyCarbonate：略称ＰＣ）板またはアクリル(メチルメタアクリレート「Methyl methacrylate：略称MMA」)板で形成した補助防護板を、前記右前身頃または左前身頃に設けたことを特徴とする構成にしてある。
【０００８】
本考案の第３の女性用ケガ防止防具は、第１または第２の女性用ケガ防止防具において、
前記右前身頃と左前身頃および後身頃に通気孔を設けたことを特徴とする構成にしてある。
【考案の効果】
【０００９】
本考案の第１の女性用ケガ防止防具では、着用時に着用者の乳房位置に右前身頃と左前身頃との夫々のカップ部を一致させて、分離している右前身頃と左前身頃とを連結手段によって連結して着用するようにしてあるので、個人差により乳房や胸囲に大小のある女性も身体に馴染むように調整して問題なく着心地よく着用することができる。そして衝突したり落石が当たったり転倒して胸、背中等を打ってもケガから身を守ることができる。また、万が一、暴漢に凶器で襲われても身体（胸、腹、背中等）に傷をつけられるのを確実に防ぎ、この防具を着用することによって安心して外出することができる。
【００１０】
本考案の第２の女性用ケガ防止防具では、連結手段による右前身頃と左前身頃との連結箇所側に、分離している右前身頃と左前身頃との着用時の隙間を覆うように補助防護板を設けてあるので、乳房や胸囲の大きな女性が着用した時に右前身頃と左前身頃との連結縁間で隙間が生じても前記補助防護板でこの隙間を塞ぐことができ、防具としても身体の前面側を隙間なく防護することができる。
【００１１】
本考案の第３の女性用ケガ防止防具では、右前身頃と左前身頃および後身頃に通気孔を設けてあるので、夏等の気温の高い日に着用した場合にも通気性が良くて蒸れることもなく、快適に着用していることができる。
【考案を実施するための最良の形態】
【００１２】
以下、添付の図面と共に、本考案の最良の実施形態について説明する。
図１は第１実施例の女性用ケガ防止防具の説明図であり、図2は第２実施例の女性用ケガ防止防具（チョッキ）の説明図である。
【００１３】
図１に示す本考案に係る第１実施例の女性用ケガ防止防具１は、チョッキ（ベスト）形の上着状に形成したものであって、図示のように右前身頃２ａと左前身頃２ｂとに中央で2分割に分離して形成されている前身頃２と、前身頃２に対応する後身頃３と、2分割されて中央で両縦縁４ａ、４ｂが対峙するように分離している右前身頃２ａと左前身頃２ｂを連結する連結手段５と、右前身頃２ａと左前身頃２ｂとの両縦縁４ａ、４ｂ間の隙間６を塞ぐ補助防護板７と、後身頃３と右前身頃２ａおよび左前身頃２ｂを連結する着脱自在な面ファスナー８とによって構成されたものである。
【００１４】
前身頃２と後身頃３は、耐衝撃性に優れたポリカーボネート（PolyCarbonate：略称ＰＣ）板またはアクリル(メチルメタアクリレート「Methyl methacrylate：略称MMA」)板）によって、図示のように身体の上半身に馴染むように上着状に形成されている。
【００１５】
さらに、右前身頃２ａと左前身頃２ｂには、着用した時に女性着用者の乳房の位置する箇所に、外方に隆起するようにして乳房保護用のお椀状のカップ部９が形成されている。カップ部９の大きさは特に限定するものではなく大小の適宜の大きさ・形状に形成すればよい。
【００１６】
また、前記の補助防護板７は、前身頃２および後身頃３と同様の前記したポリカーボネート板またはアクリル板によって、右前身頃２ａおよび左前身頃２ｂの中央部分の隙間６を塞ぐように右前身頃２ａまたは左前身頃２ｂの縦縁４ａ、４ｂ近傍の裏面に沿うように湾曲形成した長方形状のものである。
【００１７】
そして補助防護板７は、着用時に右前身頃２ａと左前身頃２ｂとの縦縁４ａ、４ｂの間に生じる隙間６を塞ぐように、縦縁４ａ、４ｂに沿って右前身頃２ａまたは左前身頃２ｂの裏面に縦半分を接着してある。補助防護板７の接着してない部分１０（図示の例では左前身頃２ｂの裏面側の縦半分）は、左前身頃２ｂ側の縦縁４ｂとその近傍の裏面部分を覆う大きさである。このことにより着用時に右前身頃２ａと左前身頃２ｂの縦縁４ａ、４ｂ間（前身頃２の中央箇所）で隙間６が生じることになっても、この隙間６を補助防護板７で塞ぐことができるため着用者の身体の上半身の前面側を確実に防護することができる。
【００１８】
勿論、補助防護板７は、左前身頃２ｂの裏面側に縦半分を接着し、他の接着してない縦半分を右前身頃２ａの縦縁４ａとその近傍の裏面を覆うようにしてもよい。さらに、この補助防護板７は、右前身頃２ａまたは左前身頃２ｂの縦縁４ａ、４ｂ近傍の表面に沿うよう縦半分を接着して前記隙間６を塞ぐようにしてもよい。
【００１９】
前記の連結手段５は、図示の例ではフック面部５ａとループ面部５ｂとからなる面ファスナーであり、ループ状に起毛された帯状のループ面部５ｂの一端部を左前身頃２ｂ（または右前身頃２ａ）に固定し、フック状に起毛されたフック面部５ａを右前身頃２ａ（または左前身頃２ｂ）に固定し、右前身頃２ａと左前身頃２ｂとを帯状のループ面部５ｂおよびフック面部５ａを介して着脱自在に連結することができる。
【００２０】
勿論、右前身頃２ａおよび左前身頃２ｂのそれぞれの縦縁４ａ、４ｂ近傍の表面に面ファスナーのフック面部５ａをそれぞれ接着して設け、この両側のフック面部５ａに帯状のループ面部５ｂを掛け渡すようにして押し付けて取り付け、右前身頃２ａと左前身頃２ｂとを連結できるようにしてもよい。図示の例では右前身頃２ａおよび左前身頃２ｂの3箇所に上下方向に適宜間隔を以って設けてあるが、上下方向の2箇所または4箇所以上に設けてもよ。また、連結手段５は両縦縁４ａ、４ｂ全体を覆うような１つの面ファスナーであってもよい。
【００２１】
この女性用ケガ防止防具１の着用時には、左前身頃２ｂの縦縁４ｂ近傍の裏面を補助防護板７の上に滑らせて、右前身頃２ａおよび左前身頃２ｂの両縦縁４ａ、４ｂを対峙させた後に右前身頃２ａと左前身頃２ｂとを３箇所で前記した連結手段５で連結すればよい。
【００２２】
さらに第１実施例の女性用ケガ防止防具１は、後身頃３の両肩の部分および両脇の部分と、右前身頃２ａおよび左前身頃２ｂの各肩の部分および脇の部分を各面ファスナー８によって連結してある。勿論、右前身頃２ａと左前身頃２ｂは、着用する前の状態においては前面中央の縦縁４ａ、４ｂの箇所で分離している。
【００２３】
この第１実施例の女性用ケガ防止防具１を着用する場合は、上半身に前開きチョッキ(ベスト)を着るようにして両手・腕を所定箇所に通し、着用者の各乳房の位置に右前身頃２ａと左前身頃２ｂの各カップ部９が位置するように調整し、最後に前記したように連結手段５で、分離している（開いている）右前身頃２ａと左前身頃２ｂとを連結して着用すればよい。この女性用ケガ防止防具１の上からセーター等の上着を着用すれば、外からは女性用ケガ防止防具１を着用していることが判らずファッション性を害うこともない。
【００２４】
この第１実施例の女性用ケガ防止防具１を着用することにより、例えば外出中に階段や道路等で何らかの要因で身体のバランスを崩して転倒し胸や背中を強打しても、衝撃を防いで身体へのダメージを軽減し、傷ついたり内臓等を痛めたりするのを確実に防止することができる。さらに、変質者等に前から或いは後から凶器で襲われても凶器による身体へのダメージを確実に防止することができ、安心して外出することができる。
【００２５】
なお、補助防護板７を備えない本考案に係る女性用ケガ防止防具は（図示省略するが）、第１実施例の女性用ケガ防止防具１の構成から補助防護板７を除いた構成であり、かつ、右前身頃２ａ（または左前身頃２ｂ）の縦縁４ａ（または縦縁４ｂ）が左前身頃２ｂ（または右前身頃２ａ）の外面部分に載るように、すなわち右前身頃２ａが左前身頃２ｂに少し被さるように右前身頃２ａを少し大きく(幅広に)形成し、着用時に右前身頃２ａを左前身頃２ｂに重ね合わせて連結手段で連結する構成である。この女性用ケガ防止防具も図示の前記した第１実施例の女性用ケガ防止防具１と同様の効果を奏することができる。
【００２６】
図２は第２実施例の女性用ケガ防止防具１であり、前記した第１実施例の女性用ケガ防止防具１の構成の右前身頃２ａおよび左前身頃２ｂ並びに後身頃３に適当な数の通気孔１１を設けた構成のものである。勿論、前記の補助防護板７にも通気孔を設けてある。通気孔１１の大きさ、形状、数、位置は特に限定するものではなく適宜取り決めればよい。  なお、第２実施例の女性用ケガ防止防具１のその他の構成は、第１実施例の女性用ケガ防止防具１と同様であり、同一箇所に同一符号を付して説明を省略する。
【００２７】
前記した通気孔１１を設けたことにより夏等の気温や湿度の高い日に着用した場合にも、通気性が良くて蒸れることもなく快適に着用することができる。
【００２８】
なお、本考案に係る連結手段としては、前記した面ファスナーに限らず、右前身頃２ａの各連結箇所に先端部を丸く形成した掛け止めピンを設け、左前身頃２ｂの各連結箇所に一列に隣接する穴を開けたゴムベルトの一端部を固定し、右前身頃２ａと左前身頃２ｂとを連結する時に、右前身頃２ａの掛け止めピンを、左前身頃２ｂのゴムベルトの適宜の位置の穴に通して掛け止めることによって、分離している右前身頃２ａと左前身頃２ｂとを連結する構成であってもよい。勿論、連結手段はその他の連結構成のものに設計変更するも自由である。
【００２９】
また、本考案の女性用ケガ防止防具に使用するＰＣ板またはMMA板の色は、赤色、黄色、白色、青色等、所望の色にすればよい。
【００３０】
さらに、本考案の女性用ケガ防止防具においては、後身頃の左に左前身頃が一体形成され、この後身頃の右に右前身頃が一体形成され、左前身頃と右前身頃とが前面中央で分離していて、連結手段で左前身頃と右前身頃とを連結できるようにした構成であってもよい。
【図面の簡単な説明】
【００３１】
【図１】第１実施例の女性用ケガ防止防具の説明図である。
【図２】第２実施例の女性用ケガ防止防具の説明図である。
【符号の説明】
【００３２】
１  女性用ケガ防止防具
２  前身頃
２ａ  右前身頃
２ｂ  左前身頃
３  後身頃
４ａ  縦縁
４ｂ  縦縁
５  連結手段
６  隙間
７  補助防護板
９  カップ部
１１  通気孔
【図１】
0003146157.tif 000003
【図２】
0003146157.tif 000004